(57)【要約】【課題】光誘導手段を簡素化しブロック化した、小型化や高精度で、外乱光への耐性を向上させた非破壊分光測定器を提供する。【解決手段】複数の発光手段１５を固定する第１の光案内ブロック１１と、光を案内する光案内通路１２１と発光手段温度検出手段１６１を有する第２の光案内ブロック１２と、光を拡散する光拡散手段１８と拡散光を案内する光通路１３１と分岐光通路１３２と光分岐手段１９１と発光強度検出手段１７１とを有する第３の光案内ブロック１３と、対象物に照射され対象物内部で拡散反射した発光手段からの光の強度を検出する反射光検出手段１７２と測定対象温度検出手段を保持する取付手段１４とからなる光学ユニット１０を備え、発光強度検出手段１７１が検出した発光手段の発光強度と発光手段温度検出手段１６１が検出した発光手段の温度をフィードバックして発光強度を制御するようにした非破壊分光測定器。【選択図】        図２
2004219322.tif 000002
【特許請求の範囲】
【請求項１】
異なる発光波長を有する複数の発光手段と、測定対象に照射し測定対象内部で拡散反射した発光手段からの光の強度を検出する反射光検出手段と、を有し、異なる波長の吸光度から測定対象の成分の大きさを測定する非破壊分光測定器において、
測定環境の温度や測定対象の温度について様々な条件下で測定したデータをもとに検量線を作成することで、使用時の温度に関する測定条件の違いによる誤差を軽減した、
ことを特徴とする非破壊分光測定器。
【請求項２】
異なる発光波長を有する複数の発光手段と、測定対象に照射し測定対象内部で拡散反射した発光手段からの光の強度を検出する反射光検出手段と、発光手段の光の強度を検出する発光強度検出手段と、発光強度検出手段が検出した発光手段の発光強度をフィードバックして発光強度を制御する発光制御手段とを有する非破壊分光測定器において、
複数の発光手段を固定する第１の光案内ブロックと、発光手段からの光を案内する光案内通路と発光手段温度検出手段を有する第２の光案内ブロックと、光案内通路からの光を拡散する光拡散手段および光拡散手段からの拡散光を案内する光通路および光通路の光を分岐した光を案内する分岐光通路および光通路の途中に設けた光分岐手段ならびに発光強度検出手段とを有する第３の光案内ブロックと、光照射窓を有し反射光検出手段と測定対象温度検出手段を保持する取付手段とからなる光学ユニットを備えた、
ことを特徴とする非破壊分光測定器。
【請求項３】
異なる波長の吸光度から測定対象の成分の大きさを測定することを特徴とする請求項２に記載の非破壊分光測定装置。
【請求項４】
発光手段の温度を検出する発光手段温度検出手段を備え、発光手段温度検出手段が検出した発光手段の温度をパラメータの一つとして検量線を作成し、発光手段の温度変化に依存する発光波長の変化による吸光度の変化を補正したことを特徴とする請求項１ないし請求項３のいずれか１項に記載の非破壊分光測定器。
【請求項５】
測定対象の温度を検出する測定対象温度検出手段を備え、測定対象温度検出手段が検出した測定対象の温度をパラメータの一つとして検量線を作成し、測定対象の温度に依存する吸光度の変化を補正したことを特徴とする請求項１ないし請求項４のいずれか１項に記載の非破壊分光測定器。
【請求項６】
発光手段が、発光波長の半値幅が狭く温度による波長変動の小さな近赤外線発光ＬＥＤであることを特徴とする請求項１ないし請求項５のいずれか１項に記載の非破壊分光測定器。
【発明の詳細な説明】
【０００１】
【発明の属する技術分野】
本発明は、果実などにおける離散的な吸収スペクトルを測定して、非破壊で糖度などの成分を測定する近赤外分光技術を利用した非破壊分光測定器に関する。
【０００２】
【従来の技術】
従来、果実糖度の非破壊測定法として、近赤外線の吸収現象を利用した分光分析が広く使われている。この非破壊分光測定法は、ハロゲンランプを光源として使い、光ファイバなどで光を誘導し、果実の表面へ照射させ、その反射光や透過光を回折格子などで分光し、果実の連続的な吸収スペクトルを測定し、その内必要な波長の吸光度を取り出し、予め用意された関係式に代入することで、糖度を測定するのが一般的である。
【０００３】
また、本出願人は、小型化、低消費電力化により、圃場での持ち歩きを可能にした、ハンディ型果実成分非破壊測定器を提案した。これは、それ以前の方法に対して、ＬＤなどの狭い半値幅を持つ光源を複数用いることが特徴である。ハロゲンランプと違い、必要とする波長の光のみを発光することから、無駄な電力を消費しないという利点を有している。また、回折格子などの分光の仕組みが不要で、小型化に適している（例えば、特許文献１参照）。
【０００４】
【特許文献１】
特開２０００２−１１６１４１号公報
【０００５】
【発明が解決しようとする課題】
従来、測定器の取り扱いにおける利便性の面から、小型化、低消費電力化が求められており、そのような考えから、光源にＬＥＤやＬＤなどの波長域の狭い光源を採用するハンディ型果実成分非破壊測定器が提案されているが、さらなる小型化や高精度の追求、外乱光への耐性の点で改善の余地が残されている。
【０００６】
光源にＬＥＤを使用した場合、発光波長の半値幅が少なくとも２０ｎｍ以上と広く、分光分析用の光源としては、精度の点で最適な光源とは言えなかった。
【０００７】
また、ＬＤは半値幅が２ｎｍ以下であるが、温度による波長変動が大きく、精密に波長変動を検出する必要があった。さらに、光ファイバの束により分岐した光の一部を、波長補正用のフィルターを透過させ、その透過量の変化によって波長の変動を検出する方法では、ＬＤ光が発光されてから果実に照射されるまでの経路において光の減衰が著しく、その結果外乱光に対する耐性が弱くなった。
【０００８】
上記問題点に鑑み、本発明は、光誘導手段を簡素化しかつブロック化することによって、小型化の追求や高精度の要求に対応し、外乱光への耐性を向上させたＬＥＤやＬＤを用いた非破壊分光測定器を提供することを目的とする。
【０００９】
【課題を解決するための手段】
本発明は、半値幅が３ｎｍ以下で、温度による波長変動が０．２ｎｍ／℃以下である光源を用い、また光誘導機構を簡略化することで、光の減衰を最小限に抑え、さらなる小型化と精度向上を達成した。
【００１０】
【発明の実施の形態】
本発明にかかる非破壊分光測定器を果実成分測定器に適用した場合の構造を、図１〜図５を用いて説明する。図１は非破壊分光測定器の全体構成を説明する概念図であり、図２は非破壊分光測定器の機能構成を説明する機能構成図であり、図３は非破壊分光測定器の光学ユニットの構成を説明する模式的な断面図であり、図４は光学ユニットの背面図、図５は光学ユニットの正面図である。
【００１１】
図１に示すように、この非破壊分光測定器１は、光学ユニット１０と、演算回路部２０と、表示装置３０と、電源部４０と、遮光フード５０とを有して構成される。
【００１２】
光学ユニット１０は、非測定対象６０に精度の高い波長の光を照射し、非測定対象６０からの拡散反射光を受光する手段である。
【００１３】
演算回路部２０は、拡散反射光の強度と糖度などの成分との関係式である検量線が格納されており、測定対象６０からの反射光のデータを用いて検量線を参照して測定対象６０の糖度などの成分を演算し、表示装置３０や図示を省略したパソコンなどの外部装置へ出力する働きと、発光素子の強度を監視して発光素子の出力強度を制御するとともに、発光素子の温度を監視して発光素子の発光波長の変化を検出し、測定対象の温度を監視して前記演算結果に対して温度補正を行う回路である。発光素子の温度と測定対象の温度は、反射光のデータと共に検量線のパラメータとして用いることも可能である。さらに、演算回路部２０は、電圧制御回路を有している。
【００１４】
演算回路２０に格納される検量線は、外部から書き替えることも可能である。
【００１５】
表示装置３０は、例えばＬＣＤを用いて構成され、測定結果などのデータを表示する手段である。
【００１６】
電源部４０は、例えば乾電池などの電源を有しており、光学ユニット１０、演算回路部２０、表示装置３０へ電力を供給する手段であり、測定スイッチ４１を有している。
【００１７】
遮光フード５０は、測定対象６０からの反射光のみを受光素子へ到達させ、外光による測定誤差をなくすための遮光手段であり、さらに測定対象からの輻射熱による温度測定の精度を上げるための遮光手段である。遮光フード５０は、測定対象６０に接したときに測定対象を傷つけず、かつ外乱光の侵入を阻止するように、柔軟な材料で蛇腹状に構成される。遮光フード５０の光学ユニット測定面側には、測定対象６０に接する緩衝兼遮光用クッション５１が設けられている。
【００１８】
図２に示すように、非破壊分光測定器１は、異なる発光波長を有する複数の発光素子１５と、測定対象６０に照射し測定対象内部で拡散反射した発光素子からの光の強度を検出する反射光検出素子１７２と、発光素子の光の強度を検出する発光強度検出素子１７１と、発光強度検出素子が検出した発光手段の発光強度をフィードバックして発光強度を制御する発光制御部２３と、発光素子の温度を検出する発光手段温度検出素子１６１と、測定対象の温度を検出する測定対象温度検出素子１６２と、測定対象毎の吸光度と発光手段の温度と測定対象の温度を共にパラメータとして作成した検量線２２と、反射光検出素子が検出した測定対象内部で拡散反射された各波長毎の反射光の強度と測定対象の温度を用いて検量線を参照して測定対象の成分を演算する成分演算部２１と、を備え、発光素子の温度変化に依存して変化した発光波長毎の反射光の強度を用いて検量線を参照して測定対象の成分を演算する。
【００１９】
さらに、本発明の非破壊分光測定器１は、複数の発光素子１５を固定する第１の光案内ブロック１１と、発光素子からの光を案内する光案内通路１２１と発光手段温度検出素子１６１を有する第２の光案内ブロック１２と、光案内通路からの光を拡散する光拡散手段１８および光拡散手段からの拡散光を案内する光通路１３１および光通路の光を分岐した光を案内する分岐光通路１３２および光通路の途中に設けた光分岐用ガラス板１９１ならびに発光強度検出素子１７１とを有する第３の光案内ブロック１３と、光照射窓１４１を有し反射光検出素子１７２と測定対象温度検出素子１６２を保持する取付手段１４とからなる光学ユニット１０を備えている。
【００２０】
発光素子１５は、発光波長の半値幅が狭く温度による波長変動の小さな近赤外線発光ＬＥＤであることが望ましい。
【００２１】
図３〜図５に示すように、光学ユニット１０は、第１の光案内ブロック１１と、第２の光案内ブロック１２と、第３の光案内ブロック１３と、取付板１４と、複数の発光素子１５−１〜１５−５と、サーミスタなどの温度検出素子１６１と、分岐光検出素子１７１と反射光検出素子１７２−１〜１７２−４と、光分岐用ガラス板１９１と、保護ガラス板１９２とを有して構成される。さらに、光光学ユニット１０は、正面に光照射窓１４１と、測定対象検出用発光素子１５１と、サーモパイルなどの温度検出素子１６２を有している。
【００２２】
第１の光案内ブロック１１は、熱電導率の大きな金属例えばアルミニウムを用いて構成され、発光波長の異なる複数の発光素子１５−１〜１５−５を固定するブロックであり、複数の発光素子固定穴１１１−１〜１１１−５を有している。発光素子固定穴１１１−１〜１１１−５に発光波長の異なる例えばＬＥＤからなる発光素子１５−１〜１５−５が挿入固定されている。発光素子固定穴１１１−１〜１１１−５の周壁と発光素子１５−１〜１５−５との間には熱伝導性材料例えばシリコングリス１１２を介在させて、両者の間の熱伝導を高めている。
【００２３】
第２の光案内ブロック１２は、熱電導率の大きな金属例えばアルミニウムを用いて構成され、複数の発光素子１５−１〜１５−５からの光を光拡散板１８へ導くとともに発光素子の温度を検知する機能を有するブロックであり、光拡散板１８に集光する光案内通路１２１と、発光素子温度検出素子１６１を固定する温度検出素子固定穴１２２を有している。温度検出素子固定穴１２２の周壁と発光素子温度検出素子１６１との間には熱伝導性材料例えばシリコングリス１２３を介在させて、両者の間の熱伝導を高めている。
【００２４】
第３の光案内ブロック１３は、熱電導率の大きな金属例えばアルミニウムを用いて構成され、光を測定対象に照射するように案内するブロックであり、光通路１３１と、光分岐通路１３２と、光拡散板保持溝１３３と、ガラス板保持溝１３４と、光検出素子保持穴１３５とを有している。光通路１３１は、発光素子から照射され光拡散板１８で拡散した光を、反射を繰り返して測定対象へ導く通路であり、途中に光の一部を分岐する光分岐通路１３２が設けられている。光分岐通路１３２は、発光素子からの光の一部を分岐した光を分岐光検出素子１７１へ導く通路であり、光通路１３１の光軸に直角に交差するように設けられており、一端が光通路１３１に開口し他端が光検出素子保持穴１３５に開口している。光拡散板保持溝１３３は、光通路１３１の一端に設けられており、光拡散板１８を支持固定する。ガラス板保持溝１３４は、光通路１３１の途中に光軸に４５度で交差するように設けられており、光分岐用ガラス板１９１を保持する。光検出素子保持穴１３５は、分岐光検出素子１７１を、絶縁材１３６を介して保持する。
【００２５】
取付板１４は、絶縁性の合成樹脂である例えばＰＥＥＫ材を用いて構成され、光照射窓１４１と、反射光検出素子１７２−１〜１７２−４を保持する光照射窓１４１の周囲に配置された複数の光検出素子保持穴１４２−１〜１４２−４と、測定対象検出用発光素子１５１を保持する測定対象検出用発光素子保持穴１４３と、測定対象温度検出素子１６２を保持する温度検出素子保持穴１４４とを有して構成され、光照射窓１４１には、保護ガラス板１９２が固定されている。
【００２６】
取付板１４に取り付けられた光照射窓１４１と、反射光検出素子１７２と、測定対象温度検出素子１６２と、測定対象検出用発光素子１５１は、測定対象へ向けて配置される。
【００２７】
光源を構成する発光素子１５は、測定対象に半値幅の小さな精度の高い光を照射する素子であり、発光手段として働く、この実施例では異なる発光波長を有する５本のＬＥＤ１５−１〜１５−５で構成され、第３の光案内ブロック１３に設けた光拡散板１８の中心へＬＥＤの光が照射される角度で配置される。ＬＥＤ１５−１〜１５−５は、例えば、発光のピーク波長が８１０、８４５、８７２、９０４、９１５ｎｍのいずれかであり、半値幅が４ｎｍ以下と狭い発光ダイオードである。さらに、この発光ダイオードは、温度による波長変動が０．２ｎｍ／℃以下であることが望ましい。
【００２８】
光拡散板１８は、光拡散手段として働き、例えば乳白色の合成樹脂板を用いて構成され、光案内通路の途中に設置されて、ＬＥＤからの精度の高い光を拡散して光通路１３１の内壁で反射を繰り返し、光照射窓面１４１から測定対象に均一な光を照射させる働きを有している。
【００２９】
測定対象検出用発光素子１５１は、可視光線を発光するＬＥＤを用いて構成され、測定対象が遮光フード５０に接しているときのみ発光素子１５の発光を許容して、使用者の安全を図る働きを有している。
【００３０】
発光素子温度検出素子１６１は、例えばサーミスタを用いて構成され、光源の温度を測定する素子であり、発光手段温度検出手段として働き、温度データをパラメータとして演算回路に取り込み、演算結果を補正するのに用いる。
【００３１】
測定対象温度検出素子１６２は、例えばサーモパイルを用いて構成され、測定対象からの輻射熱を検出して測定対象の温度を検出する素子であり、測定対象温度検出手段として働き、測定対象の温度データをパラメータとして演算回路に取り込み、演算結果を補正するのに用いる。
【００３２】
分岐光検出素子１７１は、例えばフォトダイオードを用いて構成され、発光強度検出手段として働き、光分岐用ガラス板１９１からの分岐光を受光して光源の出力強度に関するデータを得て、当該発光素子１５の出力を制御する働きを有している。
【００３３】
反射光検出素子１７２は、例えばフォトダイオードを用いて構成され、反射光検出手段として働き、測定対象の内部で拡散反射されてきた光を受光する素子である。
【００３４】
光分岐用ガラス板１９１は、光分岐手段として働き、光案内通路１１１の途中に４５度の角度で設置され、ＬＥＤからの光の一部（８％程度）を反射分岐して、光通路１３１の側壁に設けた開口を経由して分岐項検出素子１７１に入射する。
【００３５】
測定対象６０は、例えば、りんご、なし、トマト等の果実であり、その糖度などの成分を測定することができる。また、かつおやマグロ等の魚肉を対象としその脂肪含有量を非破壊で測定することが可能である。さらに、人などの血液を採取することなく皮膚の外から糖度、コレステロールの値などの血中成分を測定することができる。
【００３６】
次に、本発明にかかる非破壊分光測定器で、果実の糖度を測定する場合の動作手順を説明する。非破壊分光測定器１は、片手で持つことができ、もう一方の手で果実を接触部の遮光フード５０に軽く当て、把持部に設けた測定スイッチ４１を押すと、約１秒で糖度が算出され、表示装置３０に表示される。
【００３７】
測定スイッチ４１が押されると電源が入り、配置されたＬＥＤ１５−１〜１５−５が順次発光する。発光した光は、光案内通路１２１へ入射して光拡散板１８で拡散される。拡散された光は、光通路１３１内壁で反射を繰り返し光照射窓１４１から果実６０へ照射される。
【００３８】
光通路１３１の途中に配置された光分岐用ガラス板１９１によって、ＬＥＤの入射光のうち常に一定の割合（８％）の光が反射され、分岐光検出素子１７１により検出される。分岐光検出素子１７１で受光した光の強度がフィードバックされて、光通路１３１から測定対象６０に照射される光の強度が一定値になるようにＬＥＤ１５の電流が制御される。
【００３９】
測定対象である果実に照射された光は、果実の内部で、拡散反射を繰り返し、その一部が、反射光検出素子１７２により検出される。ただし、光照射窓１４１から果実に照射された光のうち果実表面からの直接反射光は、保護用クッション５１によって遮光され、反射光検出素子１７２では検出されない。
【００４０】
反射光検出素子１７２によって検出された光の強度は、温度検出素子１６２が得た果実の温度データと、温度検出素子１６１が得たＬＥＤの温度データとともに、前もって用意された関係式に代入され、糖度が算出される。算出された糖度は表示装置３０に一定時間表示された後、電源が落ち、動作を完了する。
【００４１】
次に、本発明かかる非破壊分光測定器において、反射光検出素子１７２の反射光強度検出データと測定対象温度検出素子１６２が得た果実の温度データから糖度を算出する関係式について説明する。本発明かかる非破壊分光測定器は、果実の糖度を非破壊で測定する。その方法は、透過力の比較的強い短波長領域の分光された近赤外線を果実に照射し、透過光量から吸光度を得て、その吸光度に対して果実の温度による補正を行った値から甘味に関連した指標を求めるものである。
【００４２】
反射光検出素子１７２によって得られた五つの波長（λ１〜λ５）における果実の吸光度を、それぞれＬ（λ１）、Ｌ（λ２）、Ｌ（λ３）、Ｌ（λ４）、Ｌ（λ５）とし、温度検出素子１６２が得た果実の温度データをＴ１、温度検出素子１６１が得たＬＥＤの温度データをＴ２とすると、果実の糖度Ｃは、一般に下記（１）式で表される。
【００４３】
【数１】
2004219322.tif 000003
【００４４】
本測定器１においては、下記（２）式の関係式を用いた。
【００４５】
【数２】
2004219322.tif 000004
【００４６】
ここで、Ｋ０、Ｋ１、Ｋ２、…、Ｋ７は比例定数を示す。
【００４７】
ただし、吸光度Ｌ（λｎ）は、果実の温度の変化や、ＬＥＤの温度変化による測定波長（λｎ）の変化によってわずかながら変化するが、以下に述べる方法でＫｎの最適地を求める場合、上記（２）式の右辺の最後の二つの項によって補正が可能である。
【００４８】
将来、測定を想定される果実については、少なくとも１００個以上の試料を関係式の作成用に用意し、吸光度Ｌ（λｎ）、試料の温度Ｔ１、ＬＥＤの温度Ｔ２、屈折等時計による糖度Ｃなどのデータを測定した。その際、恒温槽を用いて試料の温度、ＬＥＤ（実際には本測定器本体）の温度を、それぞれ５℃から４０℃まで５℃おきに変化させ、試料温度とＬＥＤ温度のそれぞれの組み合わせにおけるデータを測定した。
【００４９】
このようにして得たデータをコンピュータにより統計的に処理し、線形重回帰分析の手法を用いて、Ｋｎの最適値を得た。この結果、５℃から４０℃の測定環境の下で、高精度の糖度の推定が可能となった。
【００５０】
本発明による非破壊分光測定器においては、試料の温度、ＬＥＤの温度を反映する値として、温度検出素子１６２で得たＴ１，温度検出素子１６１で得たＴ２を関係式のパラメータとして用いたが、試料の温度やＬＥＤの温度に相関の高い波長の吸光度などを関係式のパラメータとして換わりに用いることで、測定対象温度検出素子１６２や発光素子温度検出素子１６１を利用しないことも可能である。
【００５１】
以上の実施の形態では、発光素子１５を５個用い、それぞれの発光波長のピーク波長が８１０、８４５、８７２、９０４、９１５ｎｍのいずれかであり、半値幅が４ｎｍ以下と狭い発光ダイオードであり、温度による波長変動が０．２ｎｍ／℃以下であるものを用いた例を説明したが、例えば室内のような温度変化の少ない環境で使用する場合などでは、発光波長のピーク値が８１０、８７２、９０４ｎｍの３個のＬＥＤとしても十分に精度の高い測定結果を得ることができる。
【００５２】
さらに、本発明によれば、発光素子の温度を監視して発光素子の発光強度を制御するようにしているので、温度変化が多少大きなＬＤを用いても十分実用に供し得る非破壊分光測定器を提供することができる。
【００５３】
光を照射して内部で拡散反射された光により測定対象の内部の糖度などの成分を測定するには、照射光が十分に内部に到達しそこで拡散反射された光の強度を検出する必要がある。そのためには、測定対象への光照射部と反射光受光部との距離を大きくする必要がある、しかしながら、光照射部と反射光受光部との距離を大きくすると、光の減衰が大きくなり精度が低下するという問題がある。上記の説明では、光の減衰に対処するために、１つの光照射部からの光を４つの受光部によって検出して精度を上げている。
【００５４】
スイカや、メロンなどの果皮の厚い果実を測定する場合には、４つの光照射部からの光を１つの受光部によって検出するようにして、大きな変更もなく精度よく果皮の厚い果実の成分を測定することができる。さらに、上記実施の形態では、１つの光照射部からの光を４つの受光部によって検出しているが、１つの光照射部からの光を１つの受光部によって検出しても若干精度は低下するが測定対象の成分を測定することは可能である。
【００５５】
【発明の効果】
本発明によれば、半値幅が狭く、温度に対して変動の小さな光源を使用すると、高精度の検量線の作成が可能になり、波長の変動を光源の温度を用いて補正でき、光学的経路を簡略化することができる。その結果、本発明によれば、小型で、電力消費が少なく、外乱光に強い、高精度の、圃場で使用可能な非破壊分光測定器を得ることができる。
【図面の簡単な説明】
【図１】本発明の実施の形態にかかる非破壊分光測定器の概念図。
【図２】本発明の実施の形態にかかる非破壊分光測定器の機能構成図。
【図３】本発明の実施の形態にかかる非破壊分光測定器の光学ユニットの構成の概要を説明する断面図。
【図４】本発明の実施の形態にかかる非破壊分光測定器の光学ユニットの背面図。
【図５】本発明の実施の形態にかかる非破壊分光測定器の光学ユニットの正面図。
【符号の説明】
１  非破壊分光測定器
１０  光学ユニット
１１  第１の光学ブロック
１１１  発光素子固定用穴
１１２  シリコングリス
１２  第２の光学ブロック
１２１  光案内通路
１２２  温度検出素子固定穴
１２３  シリコングリス
１３  第３の光学ブロック
１３１  光通路
１３２  光分岐通路
１３３  光拡散板保持溝
１３４  ガラス板保持溝
１３５  光検出素子保持穴
１３６  絶縁材
１４  取付板
１４１光照射窓
１４２  光検出素子保持穴
１４３  測定対象検出用発光素子保持穴
１４４  温度検出素子保持穴
１５  発光素子
１５１  測定対象検出用発光素子
１６１  発光素子温度検出素子
１６２  測定対象温度検出素子
１７１  分岐光検出素子
１７２  反射光検出素子
１８  光拡散板
１９１  光分岐用ガラス板
１９２  保護ガラス板
２０  演算回路部
２１  成分演算部
２２  連続吸収スペクトルデータ
２３  発光制御部
３０  表示装置
４０  電源部
４１  測定スイッチ
５０  遮光フード
５１  緩衝兼遮光用クッション
６０  測定対象（果実）
【図１】
2004219322.tif 000005
【図２】
2004219322.tif 000006
【図３】
2004219322.tif 000007
【図４】
2004219322.tif 000008
【図５】
2004219322.tif 000009